Podtech/llm-jp-corpus-v4-ja_patent huggingface dataset:
(57)【要約】      （修正有）【課題】厨房等で使用する手袋など下を向けて吊るしてあるため、使用する際、両手で外し挿着しなければならず料理製作過程で不便かつ使用頻度が減り飾りとなってしまった。また従来の物は生地が厚く掴みにくく不安定であった。そこで、片手で迅速に挿着ができ掴みやすい手袋を提供する。【解決手段】親指袋と人指し指袋２とその他３本指袋に分け、人指し指袋２とその他３本指袋との指股部に引掛部１を設けたことで吊るした時のバランスをとり真上向きになり、引掛部１のサイズを着脱しやすくしたことで片手ですばやく着脱が可能になる。手袋の甲と平の長さを変えた事で手を入れやすく手の内側も保護する。耐熱のフエルトにしたことで軽く掴みやすく握りやすくした。【選択図】図１
2009235656.tif 000002
【特許請求の範囲】
【請求項１】
指袋と指袋との股部に引掛部が付設され、この引掛部を介して引掛けた時手袋指側が上方を向き、手袋の開口部が下方に向けられたことを特徴とする手袋。
【請求項２】
指袋が親指用袋と人指し指用袋とその他の指用袋の3個の指袋で形成され人指し指袋とその他の指袋の股部に引掛部を設けた事を特徴とする請求項１記載の手袋。
【請求項３】
引掛部が人指し指用袋とその他の指用袋双方の間に付設され、引掛部の高さは手袋指の付け根から0.5ｃｍ〜1.5ｃｍ位の位置にて付設されていることを特徴とする請求項１又は２記載の手袋。
【請求項４】
手袋の甲側に切り込みを形成したことを特徴とする請求項１〜３のいずれかに記載の手袋。
【請求項５】
手袋開口部の端部分における手の甲側の端部と手の平側の端の位置を異ならせたことを特徴とする請求項１〜４のいずれかに記載の手袋。
【請求項６】
手袋開口部の端部の片方を内側に折る事で左右どちらにも使用が可能になることを特徴とする請求項１〜５のいずれかに記載の手袋。
【請求項７】
手袋は耐熱性を有する生地で作られている事を特徴とする請求項１〜６のいずれかに記載の手袋。
【発明の詳細な説明】
【技術分野】
【０００１】
本発明は、日用雑貨・装身具としての手袋に関し、特に片手で着脱できる手袋に関するものである。
【背景技術】
【０００２】
本発明は厨房等でレンジの出し入れや鍋等の加熱体を把持、操作する際に使用される手袋に関する。
従来におけるこの種の手袋Ｔは、例えば図５に示すように手首側に引掛け部Ｋを付設したものが常用されている。取りにくく装着しにくいため頻度に欠けた。
【特許文献１】特開２００６−００９１８９号公報
【発明の開示】
【発明が解決しようとする課題】
【０００３】
上記従来の手袋は使用する際、両手を使い装着しなければならず手間がかかるものである。すなわち引掛具（フック）から外し使用するまでの操作が迅速にできない。さらに、これらの引掛部が邪魔になり、危険な場合も生じ得る。また、生地が厚く使用しにくく掴みにくかった。
そこでこの発明は片手で迅速に着脱を容易にし掴みやすくした手袋を提供することを課題とする。
【課題を解決するための手段】
【０００４】
本発明は上記課題を解決するために、人指し指袋２とその他３本指袋３との間の股部に引掛部を付設したことで片手で容易に着脱できる事を特徴とする手袋である。本発明の第1の特徴は図１に示すように人指し指袋２とその他３本指袋３との間の股部に引掛部１を付設したものである。この引掛部1は壁などに設置したフックに引掛けた時、手袋Ｍ全体が図１の状態に吊持されるよう自重の中心線上になるよう手袋全体を形成している。
この引掛部１は図３に示すように指股部８から0.5cm〜1.5cmの間で、図４に示すよう引掛部１の左右が人指し指袋２とその他３本指袋３双方に接続するよう設ける事で挿着をスムーズにする重要な位置となり得る。なお、この引掛部１は小さく形成されているので邪魔にならないようになっている。図２は挿入の際の利便性を示す図である、図３と図４に示すように手を挿入した瞬間、引掛部１が上にもちあげられ指股部８から引掛部１までの長さが0.5cm〜1.5cmと短いため手袋の指股部８がすぐにフックに引っかかりその瞬間、手が全て挿着できる。 図１に示すように吊持された時、開口部５が下方向に向けられ、使用時迅速に挿着できるようになっている。すなわち着脱が極めて容易で安全である。
開口部５はその端部６、７が図示のように段差を設けて、甲側が短いため手の挿入をより簡便なものとしている。本発明の手袋はフック等に対する引掛け、挿着を片手でできる点に特徴がある。
さらに、手の甲側に切り込み４が設けられ、手袋使用時指の甲の摩擦を軽減できる利点がある。耐熱フエルトを使うことで使用時軽くて柔らかいのでとっても掴みやすい。 
【発明の効果】
【０００５】
引掛部１を設けたことで片手ですばやく着脱が可能になった 使いずらかった手袋を使いやすくしたことで使用頻度を上げた。
【発明を実施するための最良の形態】
【０００６】
図１に示すようにの引掛部１を設けさらに図３・図４に示すと通り片手でスムーズに着脱できる。甲部分に切り込み４を入れ開口部５のように上下の長さを変える。 
【実施例１】
【０００７】
図１は親指用袋と人指し指用袋と他の３本指袋に分け人指し指袋と３本指袋の間の指股部に引掛部１を指股部８から0.5cm〜1.5cmの位置に設ける。人指し指用袋とその他の指袋との間に離すことで引掛部１を前後に倒れないように付設する。また図３・図４にすることで引掛部１が着脱の際浮いたり倒れたりしないようある程度の剛性を持たせる。
したがって図２に示すように手を挿入した瞬間では図２のＡ・Ｂに示すように引掛部１が根元から0.5cm〜1.5cmと短いため引掛部が浮くと同時に指股部８がフックに引っかかり全ての指を挿着できる。さらに手前に引くことにより容易に外すこともできる。
【実施例２】
【０００８】
図１の切込み４を入れることで物を掴んだ時の甲側７の攣れを緩和し更に掴みやすくされている。
形もさまざまな形状が考えられ、たとえばハートなどにすると可愛くインテリアにもなるメリットがある。
開口部の段差６、７の長さを異なったことで甲側端部７が短くなるため挿入の際手を入れやすく平の端部６が長くなるので加熱体を把持した際に手首内側を保護することになる。
素材は耐熱のフエルトで軽く柔らかいので掴みやすく使用していくうちに手になじみ、更に使いやすくなる。平らな所でフックがあれば場所を選ばない。
【産業上の利用可能性】
【０００９】
本発明は、手袋に関し、日用雑貨・装身具として利用されるものである。
【図面の簡単な説明】
【００１０】
【図１】実施形態を示す図
【図２】手を挿入する際の図  Ａ，Ｂ
【図３】引掛部のベストサイズの長さの拡大図１
【図４】引掛部のベストサイズサイドの拡大図２
【図５】従来の手袋引掛け部の図
【符号の説明】
【００１１】
１  引掛部
２  人指し指袋
３  その他３本指袋
４  切り込み
５  開口部
６  平側開口端部
７  甲側開口端部
８  指股部
【図１】
2009235656.tif 000003
【図２】
2009235656.tif 000004
【図３】
2009235656.tif 000005
【図４】
2009235656.tif 000006
【図５】
2009235656.tif 000007
(57)【要約】【課題】  この発明は、人が水泳時に足をつったり、体調が急に悪化するなどして、溺れそうになった時に、即座にまわりの人々に自分の非常事態を知らせる、ベルト状の信号が入った、水着に装着できる入れ物、を提供する。【解決手段】  水中で浮力をもつ素材で布状のベルトを作り、そのベルトに人の注意を引く色を塗ったり、たすけて、などの文字を書き、幾重にも折り畳む。このベルトを小さな入れ物に収め、溺れそうになったら、入れ物の留め具をはずすと、中から前記ベルトが出て水上に浮かび、自分の非常事態をまわりの人々に知らせる、ということを特徴とする。【選択図】図１
2009037579.tif 000002
【特許請求の範囲】
【請求項１】
（イ）水中で浮力をもつ素材で布状のベルトを作り、そのベルトに人の注意を引く色を塗    り、たすけて、ヘルプ、等の文字を書き、幾重にも折り畳んでから、その先端に、浮    きを取り付ける。
（ロ）前記ベルトのもう一方の端を、入れ物に取り付けた後に、その中に収め、ふたを閉    め、留め具で留めてから、水着の、手が届いて泳ぎの支障にならない所に固定する。
以上の如く構成された、水泳時の非常事態を知らせる信号の入った入れ物。
【発明の詳細な説明】
【技術分野】
【０００１】  この発明は、人が水泳時に足をつったり、体調が急に悪化するなどして、溺れそうになった時、大声を出して助けを求めても、まわりの人々に伝わりにくい時がある。その時、水着に装着したこの入れ物のふたを開け、その中から助けを求める文字を書いたベルトが出て水上に浮かび、まわりの人々に自分の非常事態を知らせるという入れ物、に関するものである。
【背景技術】
【０００２】  従来、救命胴衣や発砲スチロール製の浮きはあったが、普通の水着は水に浮く性能を有していない。普通の水着で泳いでいて、万一溺れかけても、まわりの人に、自分の非常事態を知らせる方法は、手足をばたばたして大声を出して叫ぶしかない。【０００３】
【特許文献１】  特許公開平９−１９５１０８
【発明の開示】
【発明が解決しようとする課題】
【０００４】  普通の水着で泳いでいて、万一溺れかけても、まわりの人々には、本当に溺れているのか、水の中ではしゃいでいるのか、区別がつきにくい。また、大声を出して叫ぼうとしても、水を飲んでうまくできないかもしれない。そんな時、簡単に非常事態であることをまわりの人々に知らせ、自分の生命の安全をはかる。
【課題を解決するための手段】
【０００５】  水中で浮力をもつ素材で布状の、例えば長さ１ｍぐらい巾５ｃｍぐらいのベルトを作り、そのベルトに人の注意を引く赤色などの色を塗り、さらに、たすけて、ヘルプなどの文字を書き、幾重にも折り畳む。ベルトの浮力が増すように、ベルトの先端に浮きを付ける。このベルトを小さな入れ物に収め、ふたはボタンで留めておく。【０００６】  万一、水泳時に、急に溺れそうになっても、この入れ物のボタンの留め具をはずすと、中から赤色の助けを求めるベルトが出て水上に浮かぶので、まわりの人々に自分が非常事態であることを知らせることができる。
【発明の効果】
【０００７】  水泳時に、急に溺れそうになっても、簡単に自分が非常事態であることを知らせることができ、すぐにまわりの人々に気付いてもらえ、救助され、尊い生命が助かる。
【発明を実施するための最良の形態】
【０００８】  水中で浮力のあるポリスチレンの薄いシートで、例えば長さ１ｍ、巾５ｃｍのバンドを作る。このバンドは人の注意を引くように、赤色などに着色し、たすけて、ヘルプなどの言葉を何回も繰り返して大きく書いておき、バンドの先端には、柔らかいプラスチックやビニールなどの素材で作られた、内部に空気の入った空間を持つ浮きを取り付けておく。【０００９】  前記バンドを７ｃｍぐらいずつ、図面の図２のように最後まで幾重にも折り畳んでいき、開閉用のボタンの付いた布または柔らかいビニールなどでできたケースに、このバンドの最後の部分を取り付けてから、その中に収納しボタンを留めて、ケースのふたをする。【００１０】  前記布または柔らかいビニールなどでできたケースの底の面に、マジックテープ（登録商標）を付けておく。また、泳者の水着の、泳ぎの邪魔にならず、しかも手の届きやすい所にもマジックテープを付け、マジックテープどうしを貼りつけて、前記バンドの入った入れ物を、水着にしっかりと固定する。【００１１】  水泳中に泳者が使う時は、前記ボタンを手ではずすと、中の浮きの付いた赤色に着色され、たすけてやヘルプなどの文字の書かれたポリスチレンのベルトが、水上に浮かび上がり、まわりの人々に自分の非常事態を知らせることができる。
【図面の簡単な説明】
【００１２】
【図１】  本発明の実施時の斜視図
【図２】  バンドを折り畳んで入れ物に収納する時の斜視図
【図３】  収納する入れ物の上底の斜視図
【図４】  収納する入れ物の底の斜視図
【符号の説明】
【００１３】  １    ベルト
２    浮き
３    収納する入れ物
４    水着
５    ボタン
６    マジックテープ
【図１】
2009037579.tif 000003
【図２】
2009037579.tif 000004
【図３】
2009037579.tif 000005
【図４】
2009037579.tif 000006
(57)【要約】      （修正有）【課題】道路で交通の誘導をするときに、旗の持手部をスライドすることにより、赤、白の旗が自在に替えることが出来る道路交通誘導用の赤白自在の両用旗を提供する。【解決手段】持手部１と旗取付棒に旗（赤、白）３を取り付けた部位を組み合わせスライドすることにより、赤旗、白旗が自在に交替出来る。【選択図】図３
2009037178.tif 000002
【特許請求の範囲】
【請求項１】
持手部（１）と旗取付棒（２）に旗（赤、白）（３）を取り付けた部位を組み合わせスライドすることにより、赤旗、白旗が自在に交替出来る道路交通誘導用の赤白自在の両用旗。
【発明の詳細な説明】
【技術分野】
【０００１】  本発明は、道路で交通の誘導をするときに、旗の持手部をスライドすることにより、赤、白の旗が自在に替えることが出来る道路交通誘導用の赤白自在の両用旗に関するのである。
【背景技術】
【０００２】  従来、交通の誘導は、赤旗、白旗を用いて行っている。
道路で交通の誘導をするときに、無線連絡時の赤白の旗は、赤旗だけの誘導で白旗は全く使用せず一般通行車両をまどわせた２点以上誘導で無線を使用しない等で不合理が目立つ、交通の誘導は、赤旗、白旗を必ず使用するのが原則であるが全く守られていない。
【発明が解決しようとする課題】
【０００３】  そのために、次のような問題点があった。
特に２点以上で、無線で行うとき、赤、白の旗を持っていると無線を使用するとき、まごつき、最近、赤旗のみ持って誘導する人が増えている。
また、無線使用をしない等の状況が起きている。
【課題を解決するための手段】
【０００４】  持手部（１）と旗取付棒（２）に旗（赤、白）（３）を取り付けた部位を組み合わせスライドすることにより、赤旗、白旗が自在に交替出来る道路交通誘導用の赤白自在の両用旗。
【発明の効果】
【０００５】  本発明は、持手部（１）を左右にスライドすることにより、赤旗、白旗２本の旗を持っている状況になり、無線交信も難なく出来、赤旗だけ所持し、無線を使用しない等の交通の誘導の不合理を解消することが出来る。
持手部（１）と旗取付棒（２）に旗（赤、白）（３）を取りつけ、組み合わせ、左右に持手部（１）をスライドさせることにより、赤旗、白旗が自在に交替出来る１本の物で出来るため、無線を同時に使用することも簡単である。
【発明を実施のための最良の形態】
【０００６】  以下、本発明の実施の形態を説明する。
（イ）持手部（１）に旗取付棒（２）に、旗（赤、白）（３）を付けたものを差し込みに    する。
（ロ）持手部（１）を左右にスライドすることにより、赤旗、白旗になる持手部（１）の    内側両端に持手部ストッパー（４）が旗取付棒ストッパー（５）で止まることになる    。
本発明は以上の構成によりなっている。
本発明品を使用することで、持手部（１）と旗取付棒（２）に旗（赤、白）（３）を取りつけ、組み合わせ、左右に持手部（１）をスライドさせることにより、赤旗、白旗が自在に交替出来る１本の物で出来るため、無線を同時に使用できるので簡単である。
赤旗、白旗を常時所持することになり、無線機の使用も同時に出来ることが充分可能になる道路交通誘導用の赤白自在の両用旗である。
本発明は、無線連絡をとりながら、自在に旗色を変更させ誘導できる赤旗だけ使用し、白旗を放棄し、無線不使用等の不合理が解決する。
【図面の簡単な説明】
【０００７】
【図１】  本発明の正面図である。
【図２】  本発明を分解した状態の説明図である。
【図３】  本発明の使用状態を示した説明図である。
【符号の説明】
【０００８】  １  持手部
２  旗取付棒
３  旗（赤、白）
４  持手部ストッパー
５  旗取付棒ストッパー
【図１】
2009037178.tif 000003
【図２】
2009037178.tif 000004
【図３】
2009037178.tif 000005
(57)【要約】【課題】燃料電池から排出されるオフガスを車外に放出する際の水滴の飛散、白煙の発生および路面への排水を抑制可能な燃料電池車用の排気管を提供する。【解決手段】燃料電池車用の排気管１は、燃料電池から排出されるオフガスが流通する排気経路２に吸水性を備えた吸水部材３を外気と連通可能に配設して構成されている。排気経路の一部を通水性を備えた通水管で形成するとともに、通水管の外周に吸水部材を配設しても良い。また、吸水部材の外周に通気性を備えた保護部材を配設しても良い。【選択図】図１
2009037994.tif 000002
【特許請求の範囲】
【請求項１】
燃料電池から排出されるオフガスが流通する排気経路に吸水性を備えた吸水部材を外気と連通可能に配設したことを特徴とする燃料電池車用の排気管。
【請求項２】
排気経路の一部を通水性を備えた通水管で形成するとともに、前記通水管の外周に前記吸水部材を配設したことを特徴とする請求項１記載の燃料電池車用の排気管。
【請求項３】
前記吸水部材の外周に通気性を備えた保護部材を配設したことを特徴とする請求項１または請求項２記載の燃料電池車用の排気管。
【発明の詳細な説明】
【技術分野】
【０００１】  本発明は燃料電池を動力源とした車両から排出されるオフガスを車外に導くための排気管に関する。
【背景技術】
【０００２】  燃料電池から排出されるオフガスには、加湿器により加湿された水分や反応によって生成された水分などが含まれている。オフガスは排気管を流通して車外に導かれるが、車外に放出される際に水滴の飛散や白煙の発生などの問題が生じることがあった。このため、例えば特許文献１には、遠心力により分離した水分（液相）を消音器に設けた排液孔より排出することが提案されている。しかし、このように水分（液相）を路面に排出することは、路面が濡れるなどの面で好ましいものとは言えなかった。
【特許文献１】特開２００５−１６０１８７
【発明の開示】
【発明が解決しようとする課題】
【０００３】  本発明は上記問題点に鑑みてなされたものであり、燃料電池から排出されるオフガスを車外に放出する際の水滴の飛散、白煙の発生および路面への排水を抑制可能な燃料電池車用の排気管を提供することを主目的とするものである。
【課題を解決するための手段】
【０００４】  前記の課題を解決するために、請求項１記載の発明は、燃料電池から排出されるオフガスが流通する排気経路に吸水性を備えた吸水部材を外気と連通可能に配設したことを特徴とする燃料電池車用の排気管である。【０００５】  請求項２記載の発明は、請求項１記載の発明において、排気経路の一部を通水性を備えた通水管で形成するとともに、前記通水管の外周に前記吸水部材を配設したことを特徴とする燃料電池車用の排気管である。【０００６】  請求項３記載の発明は、請求項１または請求項２記載の発明において、前記吸水部材の外周に通気性を備えた保護部材を配設したことを特徴とする燃料電池車用の排気管である。
【発明の効果】
【０００７】  本発明によれば、燃料電池車の排気管からの水滴の飛散、白煙の発生および路面への排水を抑制することができるといった効果を奏する。
【発明を実施するための最良の形態】
【０００８】  以下、図面を参照して本発明の実施例について説明する。
【実施例１】
【０００９】  図１は、本発明の実施例１に係る燃料電池車用の排気管１を示す図で、（ａ）縦断面図、（ｂ）（ａ）におけるＡ−Ａ断面図である。排気管１は、燃料電池から排出されるオフガスが流通する排気経路を形成する管体２の終端に、中空かつ有底の筒状に形成された吸水部材３が配設されて形成されている。管体２は金属、樹脂などのパイプから成り、マフラ（図示せず）や水素希釈器（図示せず）を介して燃料電池（図示せず）に接続される。吸水部材３は、金属、セラミック、ガラスなどの無機材料、有機材料、高分子材料など任意の材質から選択することができ、これらの材質を発泡体などの多孔状や、繊維状にした後に不織布状または織布状にすることにより、吸水性を備えるようにしたものから任意に選択することができる。また、吸水部材３は上記したものを単体または、異なる材質や密度などのものを任意に組合せて用いることができる。また、吸水部材３は、中実状に形成されていてもよいし、底部を備えない筒状に形成されていても良い。さらに、より表面積を大きくするため、下流方向に末広状に形成したり、断面形状を楕円形など形成したりしも良い。【００１０】  以上のように構成することで、オフガス中に含まれる水分は吸水部材に吸収されるために、水滴の飛散や白煙の発生などを抑制することができる。また、吸収された水分は走行風により吸水部材の外表面から効率的に蒸散させることができるため、路面への排水を抑制することができる。
【実施例２】
【００１１】  図２は、本発明の実施例２に係る燃料電池車用の排気管１１を示す図で、（ａ）縦断面図、（ｂ）（ａ）におけるＢ−Ｂ断面図である。排気管１１は、オフガスが流通する管体１２の一部が多数の小孔１５が設けられ通水性を備えた通水管１４で形成されるとともに、通水管１４の外周に吸水部材１３が配設されて形成されている。管体１２および吸水部材１３の材質などに関しては実施例１と同様のものを採用することができる。通水管１４は多数の小孔以外にもスリットなどを設けても良く、金属粉末を焼結するなどして多孔質に形成したものを管体に接合しても良い。実施例２においても実施例１と同様の効果を得ることができる。
【実施例３】
【００１２】  図３は、本発明の実施例３に係る燃料電池車用の排気管２１を示す図で、（ａ）縦断面図、（ｂ）（ａ）におけるＣ−Ｃ断面図である。排気管２１においては、管体２２は離間して配置された上流側管体２２ａと下流側管体２２ｂとで構成されている。また、吸水部材２３は筒状に形成されており、両管体２２ａと２２ｂとを接続するように設けられている。さらに、吸水部材２３の外周に離間して、多数の小孔２７を備えた板材で形成され通気性を備えた保護部材２６が設けられている。保護部材２６は、金属または樹脂などのネットや、通気性を備えた樹脂フィルム、樹脂コーティングなどを任意に離間または密着するように設けても良い。実施例３においても実施例１と同様の効果を得ることができる。さらに、吸水部材が保護されるため耐久性を向上させることができる。【００１３】  以上、本発明の実施例を説明してきたが、本発明は上述の実施例に限られるものではなく、本発明の趣旨を逸脱しない範囲の設計変更があっても本発明に包含される。
【図面の簡単な説明】
【００１４】
【図１】本発明の実施例１に係る燃料電池車用の排気管を示す図で、（ａ）縦断面図、（ｂ）（ａ）におけるＡ−Ａ断面図。
【図２】本発明の実施例２に係る燃料電池車用の排気管を示す図で、（ａ）縦断面図、（ｂ）（ａ）におけるＢ−Ｂ断面図。
【図３】本発明の実施例３に係る燃料電池車用の排気管を示す図で、（ａ）縦断面図、（ｂ）（ａ）におけるＣ−Ｃ断面図。
【符号の説明】
【００１５】  １，１１，２１  排気管
２，１２，２２ａ，２２ｂ  管体（排気系路）
３，１３，２３  吸水部材
１４  通水管
２６  保護部材
【図１】
2009037994.tif 000003
【図２】
2009037994.tif 000004
【図３】
2009037994.tif 000005
(57)【要約】【課題】  用紙ジャム時の用紙取り除きに必要な空間のみを確保し無駄な空間を無くすこと。【解決手段】  単票の用紙を搬送する用紙搬送経路を有する用紙搬送装置において、前記用紙搬送経路を形成する用紙ガイドの一部を引き出せる構造としたことを特徴とする。【選択図】  図１
2009037086.tif 000002
【特許請求の範囲】
【請求項１】
単票の用紙を搬送する用紙搬送経路を有する用紙搬送装置において、前記用紙搬送経路を形成する用紙ガイドの一部を引き出せる構造としたことを特徴とする用紙搬送装置。
【請求項２】
前記引き出せる用紙ガイドは、回転可能なシャフトと、そのシャフトに取り付けられたプレートに回転可能に取り付けられたリンクと、そのリンクに回転可能に取り付けられ相互に回転可能に組み合わされた用紙ガイドを有することを特徴とする請求項１記載の用紙搬送装置。
【請求項３】
前記引き出せる用紙ガイドは、スライドレールを用いて引き出し可能になっていることを特徴とする請求項１又は２に記載の用紙搬送装置。
【発明の詳細な説明】
【技術分野】
【０００１】
本発明は、電子式カット紙印刷装置などの単票の用紙を搬送する用紙搬送装置に関するものである。
【背景技術】
【０００２】
従来の用紙搬送装置はジャム発生などで用紙が搬送路に停止した場合、用紙ガイドを回転可能にしておきその場で持ち上げるまたは開くことで用紙の取り除きを行う。またはいくつかのユニットに分かれている場合は、ユニットそのものを引き抜いた後に用紙ガイドを開くことで用紙の取り除きを行う。
【０００３】
図３を用いて従来の用紙搬送装置を説明する。従来の用紙搬送装置においては、用紙ジャムが発生した場合、用紙ガイドを兼ねたカバー１などを開けることにより用紙の取り除きを行う。また、特開２００４−１０２０４３号公報などのようにユニットに分割されている場合は、ユニットを引き出した後に該当する用紙ガイドを開けることにより用紙の取り除きを行う。
【０００４】
【特許文献１】特開２００４−１０２０４３号公報
【発明の開示】
【発明が解決しようとする課題】
【０００５】
しかし、電子式カット紙印刷装置は単体だけでの仕様の他にオプションとして後処理装置を連結することがある。その場合、カバー１のように大きく開く部分に装置を連結する時はカバー１を開けるためだけに大きな空間を確保する必要があり、無駄な空間ができる。本発明の目的は、このような弊害を解消し、用紙ジャム時の用紙取り除きに必要な空間のみを確保し無駄な空間を無くすことのできる用紙搬送装置を提供することにある。
【課題を解決するための手段】
【０００６】
上記目的を達成するため本発明の第１の手段は、単票の用紙を搬送する用紙搬送経路を有する用紙搬送装置において、前記用紙搬送経路を形成する用紙ガイドの一部を引き出せる構造としたことを特徴とするものである。
【０００７】
本発明の第２の手段は前記第１の手段において、前記引き出せる用紙ガイドは、回転可能なシャフトと、そのシャフトに取り付けられたプレートに回転可能に取り付けられたリンクと、そのリンクに回転可能に取り付けられ相互に回転可能に組み合わされた用紙ガイドを有することを特徴とするものである。
【０００８】
本発明の第３の手段は前記第１または第２の手段において、前記引き出せる用紙ガイドはスライドレールを用いて引き出し可能になっていることを特徴とするものである。
【発明の効果】
【０００９】
本発明により、用紙ガイドを引き出す構造とした結果、必要最小限の空間の確保で電子写真カット紙印刷装置と後処理装置とを連結することが可能となる。
【発明を実施するための最良の形態】
【００１０】
以下、図１、図２を用いて説明する。図１において定着ユニット４０から搬送された用紙はゲート３０を通り、用紙ガイド２とシャフト１０で回転可能に組みつけられた用紙ガイド３，４の間を搬送されて搬送ローラ７０，７１まで搬送される。用紙の反転位置まで搬送ローラ７０，７１で搬送された後いったん停止し、今度は搬送ローラ７０，７１が逆転することにより用紙はゲート３０、用紙ガイド３及び用紙ガイド５の間を搬送され、搬送ローラ６０，６１に到達する。そのまま用紙は用紙ガイド３と用紙ガイド６との間を搬送され、図示されない後処理装置に到達する。
【００１１】
このとき、何らかの原因で用紙が用紙ガイド２，３及び４の間で停止した場合、シャフト２０を回転させることにより、プレート２１に回転可能に取り付けられたリンク２２，２３と、リンク２２，２３に回転可能に取り付けられた用紙ガイド３，４がリンク２２，２３に引かれてシャフト１０を中心に回転する。
【００１２】
図２において回転後の用紙ガイド３及び４を示す。この状態では、用紙ガイド３及び４はフレーム８０と緩衝しない位置に回転しており、用紙ガイド３及び４を保持しているガイドフレーム５０はスライドレール５１，５２により装置内から図面手前に引き出せる。用紙ガイド３及び４を装置内から引き出した後、ジャム用紙を取り除く。
【図面の簡単な説明】
【００１３】
【図１】本発明の実施形態に係る電子式カット紙印刷装置の用紙搬送装置の説明図である。
【図２】本発明の実施形態に係る電子式カット紙印刷装置の用紙搬送装置の説明図である。
【図３】従来技術における電子機カット紙印刷装置の斜視図である。
【符号の説明】
【００１４】
１はカバー、２，３，４，５，６は用紙ガイド、１０，２０はシャフト、２１はプレート、２２，２３はリンク、４０は定着ユニット、５０はガイドフレーム、５１，５２はスライドレール、６０，６１，７０，７１は搬送ローラ、８０はフレームである。
【図１】
2009037086.tif 000003
【図２】
2009037086.tif 000004
【図３】
2009037086.tif 000005
(57)【要約】【課題】樹脂性軽量造形材製テーブルに同材質の円筒形支柱脚を一体化させ、滑り止め及び転び止め策を考慮した、従来既製品カップホルダーへビス類や工具材の使用無しに脱着可能な簡易・便利性機能を持たせた簡易テーブルを提供する。【解決手段】テーブルの天板１下部端側に従来品カップホルダーへ装着可能なサイズの円筒形支柱脚２を設けるとともに、容器類が滑って落ちにくいように交換可能な凡庸弾性部材を脱着できる凹凸３を設けた簡易テーブルを特徴とする。【選択図】図１
2009083831.tif 000002
【特許請求の範囲】
【請求項１】
車内またはカップホルダー付き椅子における飲食時等の容器類を置く事の出来る機能を有している樹脂性軽量造形材製による簡易テーブルであって、従来既製品である車内用カップホルダーまたはカップホルダー付き椅子へカップを保持する要領と同様の動作で脱着の出来る、カップと同径の筒状の脚をテーブル天板下端へ有するテーブルを特徴とする簡易テーブル。
【請求項２】
前記簡易テーブルにおける従来既製品カップホルダーへ取付け用の筒を軸にテーブル天板が１８０度前後の回転・移動する機能を有することを特徴とする請求項１記載の簡易テーブル。
【請求項３】
前記簡易テーブルへ飲食時等の容器類を置いた時の容器類の滑りまたは転び止め軽減として、従来既製品弾性部材を天板へ取りつけることの出来る凹凸形状を設けたテーブルを特徴とする請求項１記載の簡易テーブル
【発明の詳細な説明】
【技術分野】
【０００１】本発明は、車内またはカップホルダー付き椅子での飲食等を補助する為の（車内用従来既製品カップホルダーまたはカップホルダー付き椅子へ脱着することが可能なテーブル）に関する。
【背景技術】
【０００２】従来品の車内用テーブルは天井や壁を利用したものがある（例えば特許文献１や３４や参照）。また人間の脚へ直接固定するものがある（例えば特許文献２参照）。
【特許文献１】特許公開２００７−１７６１９７
【特許文献２】特許公開２００４−０００６７６
【特許文献３】特許公開２０００−３１３２６８
【特許文献４】平８−３３２８８１
【発明の開示】
【発明が解決しようとする課題】
【０００３】しかしながら従来品簡易テーブルはテーブル自体を固定するために車体のどこかへ取付け穴の開口または改造に近い処理を施さなければならないなど、設置及び取扱が複雑になる欠点があり、簡易という便利性や携帯性（他車への載せ替え）などの点で不利がある。
【課題を解決するための手段】
【０００４】本発明は、車内またはカップホルダー付き椅子における飲食時等の容器類を置く事の出来る機能を有している樹脂性軽量造形材製による簡易テーブルであって、従来既製品である車内用カップホルダーまたはカップホルダー付き椅子へカップを保持する要領と同様の動作で手軽に脱着の出来る、カップと同径の筒状の脚をテーブル天板下端へ有するテーブルを特徴とする簡易テーブルを提供することで上記課題を解決する。
【発明の効果】
【０００５】本発明は、テーブルが必要であるときには従来既製品車内用カップホルダーまたはカップホルダー付き椅子の筒内へ装着し、テーブルが必要でないときには従来既製品車内用カップホルダーまたはカップホルダー付き椅子から取り出すまたは取り外すだけで、従来既成の飲料水カップの「保持」・「取り除き」と同様の動作で使用出来きる脱着便利性と携帯性に優れた快適さを確保するのに極めて有効である。
【発明を実施するための最良の形態】
【０００６】本発明のテーブルは、図１、図２、図３に示すように、Ａ−４サイズ程度の樹脂性造形軽量材製テーブル本体１の下部端側へ５００ｍｌ．ペットボトルと同等直径サイズ約７ｃｍ．とし、高さは７ｃｍ．前後の、樹脂性造形軽量材製円筒２を、天板１と同時成形製作または天板下端１と溶接等で取り付け一体化させる。滑り止め又は転び止め防止策として従来既製品の弾性部材を１へ接着または脱着可能な凹凸３を有する。また図４、図５に示すように、支柱脚２に回転軸４を設け左右前後方向に天板１を動作させる溝５を有する。
本発明は以上のような構造である。
【実施例】
【０００７】図１、図２、図３に示す樹脂性軽量造形材製である、テーブル１は例えば、Ｗ２５５ｍｍ．Ｄ１８０ｍｍ．Ｈ１５ｍｍ．〜２５ｍｍ．の寸法を有する直方体形状と、支柱脚２は例えば、直径７０ｍｍ．Ｈ７０ｍｍ．の寸法を有する円筒形とを一体化し、車内での簡易テーブルを仕様する際に好適なサイズとして標準化する。このことにより設計、施工が容易になる。また３には従来既製品である輪ゴム材を用いるのが最適である。耐蝕性のある弾性部材は安価製作が難しいと思われるためである。【０００８】以上、本発明の実施の形態及び実施例を説明したが、本発明の範囲はこれに限定されるものではない。例えば、テーブル支柱脚との設置位置、弾性部材取り付け用凹凸部の位置関係、あるいは簡易テーブルを両面テープやエアコン吹き出し口の羽等直付けすることは、状況に応じて適宜選択されるものである。【０００９】また、簡易テーブルは飲食時の容器保持仕様という一面に限らず、重量でない物品保持に利用しても良い。例えば携帯電話やＩＴ関連の重量でない物品を置く事も可能である。【００１０】さらに、発明を実施するための最良の形態と実施例では、樹脂製軽量造形材製簡易テーブルについて説明しているが、成形簡易テーブルの材質は樹脂性軽量造形材に限られたものではなく、その他例えば、金属材、合成樹脂材、木材、弾性部材等、構造体として適当な任意の材料のものが利用でき、形状、大きさも任意に選定する事が出来る。また、用途も車内での利用を目的とするものに限られず、主として簡易で便利性のあるテーブル材として広く用いる事が可能である。
【産業上の利用可能性】
【００１１】本発明は、従来既製品カップホルダーへ脱着可能な簡易テーブルを製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態の立面図である。
【図４】本発明を実施するための最良の第二の形態の外観斜視図である。
【図５】本発明を実施するための最良の第二の形態の平面図である。
【図６】本発明を実施するための最良の第二の形態の立面図である。
【符号の説明】
（１）    テーブル天板
（２）    テーブル天板保持用支柱脚
（３）    容器類転び止め・滑り止め用凡庸弾性部材装着用の凹凸
（４）    テーブル天板回転用ネジ付き軸
（５）    テーブル回転軸移動用溝
【図１】
2009083831.tif 000003
【図２】
2009083831.tif 000004
【図３】
2009083831.tif 000005
【図４】
2009083831.tif 000006
【図５】
2009083831.tif 000007
【図６】
2009083831.tif 000008
(57)【要約】      （修正有）【課題】通常切断時には支障をきたさずに奥行きのない場所での長ブレード使用でも安定作業を可能にする。【解決手段】モータと、モータの回転を往復動に変換する往復変換機構と、該往復変換機構によって往復駆動される鋸刃５と、鋸刃と略垂直方向に延びるベース３とを有する携帯用電気ノコギリであって、ベース３に接続され、ベース３より前方に突出するようにサブベース６を設けた。【選択図】図４
2009083332.tif 000002
【特許請求の範囲】
【請求項１】
モータと、
モータの回転を往復動に変換する往復変換機構と、
該往復変換機構によって往復駆動される鋸刃と、
前記鋸刃と略垂直方向に延びるベースとを有する携帯用電気ノコギリであって、
前記ベースに接続され、前記ベースより前方に突出するようにサブベースを設けたことを特徴とする携帯用電気ノコギリ。
【請求項２】
前記サブベースは、ベースに対して固定可能であることを特徴とする請求項１記載の携帯用電気ノコギリ。
【発明の詳細な説明】
【技術分野】
【０００１】
本発明は住宅の改装、解体工事や家庭菜園等での木材、鋼材、パイプ、小枝等を切断するのに使用される小物、薄物切断用の小形の携帯用電気ノコギリ（セーバソー）のベース装置に関するものである。
【背景技術】
【０００２】
電動モータにより駆動される往復動形式の切断工具として携帯用電気ノコギリがある。携帯用電気ノコギリは、周知の如く、一般に直線のこ刃(以下ブレードという)を装着した往復動軸(プランジャという)を往復駆動させブレードによって切断するものである。
【０００３】
携帯用電気ノコギリによる切断作業においては、ブレードの往復運動方向に切断反力が発生する。このため図１に示す如く、ブレード５の往復移動方向に沿って移動可能な携帯用電気ノコギリ本体１に固定ボルト４で取り付けられたベース固定部材２の先端に、ブレード５の往復移動方向に対して概ね直角な向きにベース３が装着され、ベース３を被切断材１０に押し当てるようにしている。ベース３を被切断材１０に押し当てることにより、被切断材１０とブレード５の位置を一定に保つと共に、ブレード５の往復運動方向に発生する切断反力を受け止めるようにして作業性を向上させている。
【０００４】
また、被切断材１０の大きさ、ブレード５の長さの関係から固定ボルト５をゆるめ、ベース固定部材２を前後に移動させ、切断作業性を向上させている。
【０００５】
ここで本発明の携帯用電気ノコギリは小形軽量で片手作業ができ、糸のこなどの手動式に変わる電動式のものであるため、小形軽量を優先させるため、ベース３が移動できない固定タイプもある。
【発明の開示】
【発明が解決しようとする課題】
【０００６】
上記した構造上、小形軽量が重要視される携帯用電気ノコギリはベース固定部材の移動範囲を大きくできないため、長いブレードを使用し奥行きが狭い場所での切断作業をする場合、ベースを被切断材に押し当てての安定切断作業ができない問題がある。
【０００７】
本発明の目的は、作業場所、使用ブレード長さによって作業性を低下させないようにすることである。
【課題を解決するための手段】
【０００８】
上記目的は、モータと、モータの回転を往復動に変換する往復変換機構と、該往復変換機構によって往復駆動される鋸刃と、前記鋸刃と略垂直方向に延びる方向に延びるベースとを有する携帯用電気ノコギリであって、前記ベースとは別にサブベースを設け、該サブベースを前記ベースより前方に突出可能に設けたことを特徴とする携帯用電気ノコギリによって達成することができる。
【発明の効果】
【０００９】
本発明によれば、作業場所、使用ブレード長さによって、被切断材をベースに押し当てての安定作業ができなくなるのを防止できるため、作業性の低下を防止できるようになる。かつ、安定作業ができるため、片手でも作業できる。
【００１０】
また、通常時、本体寸法が大きくならなくてすみ、小形軽量にできる。
【発明を実施するための最良の形態】
【００１１】
以下実施形態を示した図２〜図４を参照して本発明を説明する。
【００１２】
ベース３はベース固定部材２に固着され、固定部材２はブレード５の往復移動方向に沿って移動可能になっており固定ボルト４で携帯用電気ノコギリ本体１に取り付けられている。なお、ベース３にはブレード５が貫通する穴が設けられている。また、ベース３の左右端にはサブベース６装着用のネジ穴を有したパイプ７が固着されている。長いブレード５を使用して奥行きが狭い場所で切断作業をする場合、左右に固定用シャフト８を有したサブベース６をベース３のパイプ７にシャフト８をブレード５先端が奥行きにぶつからない位置まで差込み、蝶ネジ９でサブベース６をベース３前方に固定する。
【００１３】
切断作業の妨げにならい場所で作業する場合は、サブベース６を取り外す。
【図面の簡単な説明】
【００１４】
【図１】従来の携帯用電気ノコギリの一例を示す要部断面側面図。
【図２】図１の携帯用電気ノコギリによる通常の切断作業状態を示す説明図。
【図３】図１の携帯用電気ノコギリによる不安定切断作業状態を示す説明図。
【図４】本発明ベース装置の一例による切断作業状態を示す説明図。
【図５】本発明ベース装置の一例を示す上面図。
【符号の説明】
【００１５】
１は携帯用電気ノコギリ本体、２はベース固定部材、３はベース、５はブレード、６はサブベース、８はシャフト、９は蝶ネジ、１０は被切断材。
【図１】
2009083332.tif 000003
【図２】
2009083332.tif 000004
【図３】
2009083332.tif 000005
【図４】
2009083332.tif 000006
【図５】
2009083332.tif 000007
(57)【要約】【課題】特に従来に比べて小さな設定駆動動力ないし小さな有用トルクで、薄肉部品も問題なしに射出成形できるように、動力伝達系、即ち電動機回転部分および／又は射出成形機の回転部分における質量慣性モーメントを低減する。【解決手段】射出成形機（１）の遊星スピンドル（５）或いは球状ローラスピンドル上に永久磁石（７）を設ける。この永久磁石の直接的な設置により、質量および回転部分の直径が減少し、質量慣性モーメントの低減を図ることができる。【選択図】図１
2009083493.tif 000002
【特許請求の範囲】
【請求項１】
射出成形機（１）の遊星ローラスピンドル（５）又は球状ローラスピンドル上に永久磁石（７）が設けられていることを特徴とする射出成形機。
【請求項２】
遊星ローラスピンドル又は球状ローラスピンドルがスピンドルナット（５）を含み、該スピンドルナット（５）上に永久磁石（７）が設けられていることを特徴とする請求項１記載の射出成形機。
【発明の詳細な説明】
【技術分野】
【０００１】
電動射出成形機では、通常、中空軸を備えたトルクモータ（高トルクのギヤレス直接駆動装置）が採用されている。
【背景技術】
【０００２】
その場合、電動機回転子は必然的に大きな質量慣性モーメントを有する。電動射出成形機の場合、生産に対する「立上り（hochlauflosenden）」サイクル時間の他に、技術的プロセスに対しても、部品をきっちりと製造可能とすべく、必然的に高い動特性駆動が必要である。
【０００３】
電動射出成形機では、従来技術によれば、今日要求される高い動特性が大きな駆動動力の設定によって実現されている。これによって、加速時間を得るために設定電力ないし有用トルクが、電動機回転部品の加速に対し主に９０％以上が、例えば射出軸に利用される状態となる。
【０００４】
特に中空軸形電動機の場合、電動機ないしスピンドルの質量慣性が生ずる。その軸を加速する際、部分的に大きなエネルギが、軸自体の線形運転に差し向けられるよりも、電動機・スピンドル複合体の回転に差し向けられる。これは、特に射出軸において特に重要である。ここでは、電気機械は相変わらず液圧方式の速度と加速が得られない。
【発明の開示】
【発明が解決しようとする課題】
【０００５】
本発明の課題は、特に従来に比べ小さな設定駆動動力ないし小さな有用トルクで、薄肉部品も問題なしに射出成形できるように、動力伝達系、即ち電動機回転部分および／又は射出成形機の回転部分における質量慣性モーメントを低減することにある。
【課題を解決するための手段】
【０００６】
射出成形機の動力伝達系における質量慣性モーメントを低減すべく、元々従来の電動機回転子に付設されていた所要の永久磁石および機械的に必要な遊星ローラスピンドル（Planetenrollspindel）或いは球状ローラスピンドル（Kugelrollspindel）を、一体形のコンパクトな機械電気構造体として形成することを提案する。
【０００７】
射出成形機のかかる変更されたスピンドルへの永久磁石の直接設置によって、質量並びに回転部品の直径が減少する。これに伴い得られる加速度値は、いまや永久磁石を含む必要がない電動機回転子の小さな直径に応じて自乗で増大する。その際、永久磁石は遊星ローラスピンドル或いは球状ローラスピンドル、又はスピンドルナット（Spindelmutter）上に設けられる。
【０００８】
この際、従来技術と異なり、トルクモータの中空軸が省かれる。従来中空軸上に設けられていた永久磁石は、スピンドル上又はスピンドルナット上に磁気回路を形成できる。これにより、射出成形機のためのトルク／スピンドルモータが生ずる。
【０００９】
これによって、電動射出成形機に本発明に基づく考えを利用した場合、薄肉部品も、液状プラスチックを低温成形型に注入する際にプラスチックが凝固することなしに、問題なしに射出成形できる加速度値が得られる。
【００１０】
即ち本発明は、射出成形機の遊星ローラスピンドル或いは球状ローラスピンドル上、又はスピンドルナット上に永久磁石を設けた射出成形機を生じさせる。かくして従来の射出成形機に比べ、低い設定駆動動力で、特に上述した薄肉部品を問題なしに射出成形すべく、同じかむしろ大きな加速度値が得られるという特別な効果が生ずる。
【００１１】
射出成形機の技術分野と無関係に、従来技術から永久磁石を回転するスピンドルナット上に接着したサーボモータが知られている。しかし従来、その処置により、動力分配を改善し長い寿命を得ることしか知られていない。またかかるモータは、射出成形機では、上述の如く一般にかなり高い駆動動力が必要なため、射出成形機での採用に対し有利でないか、技術的に使用できないと思われる出力等級に対してしか知られていない。射出成形機の遊星ローラスピンドル又は球状ローラスピンドルないしスピンドルナットに永久磁石を一体化することで、必要な駆動動力が減り、そこで初めて動力的にも小形モータが主に利用できるという認識が、本発明に基づく認識部分であり、従来技術に属さない。
【発明の効果】
【００１２】
従来の射出成形機で通常に設定された大きな電力は、本発明に基づく慣性質量の低減によってかなり減少する。この結果、射出成形機において技術的に要求される動特性について極めて大きな利点が得られる。いまや十分に低下した駆動動力によって、射出成形機に対する設備投資費も減少する。例えば射出成形機は小形に形成できる。また電動機がかなり小形になるので、例えば修理の際に電動機交換も容易に行える。また通常、セルシン装置付きの単純で、安価で小形の電動機を装備することもできる。
【発明を実施するための最良の形態】
【００１３】
以下、図示の実施例を参照して本発明を詳細に説明する。
【実施例１】
【００１４】
図１は、本発明に基づく射出成形機１の主要構成要素を示す。
【００１５】
この射出成形機はウォーム３と、遊星ナット（Planetenmutter）５と、塑性化ロータ１１を有している。
【００１６】
この場合、永久磁石７が遊星ナット５の外周面に直接設けられている。またここでは、塑性化ロータ１１も該ロータ１１の外周面に設けられた永久磁石７を有している。
【００１７】
射出成形機の固定子７は遊星ナット５並びに塑性化ロータ１１を包囲している。この場合、固定子７は２つの部分に分けられ、塑性化ロータ１１と遊星ナット５の間に隙間が存在している。
【００１８】
この処置によって、本発明に基づく射出成形機は、従来に比べてかなり低い質量慣性を有している。本発明に基づき駆動装置の動特性が向上し、動力的にも比較的小さく設計した電動機が採用できる。
【図面の簡単な説明】
【００１９】
【図１】本発明に基づく射出成形機の主要構成要素の断面斜視図。
【符号の説明】
【００２０】
１  射出成形機、５  遊星ナット、７  永久磁石、７  固定子、１１  塑性化ロータ
【図１】
2009083493.tif 000003
(57)【要約】      （修正有）【課題】ビーズの図案上に、適当な大きさに切った透明両面弱粘着シートを貼って、その上にビーズを図案どおりに粘りつけて、矢印の順序に編み進めれば完成できるようにして、複雑なビーズホビーを、誰でも、やさしく、簡単に出来るように工夫した、ビーズホビー用透明弱粘着性シートを提供する。【解決手段】透明両面弱粘着シート１に、マス目盛プリントつき表紙２と、大中小の円形プリントつき裏表紙３を、カバーして構成した、貼ってはがしやすいことが特徴のビーズホビー用透明両面弱粘着シート。【選択図】図１
2009083454.tif 000002
【特許請求の範囲】
【請求項１】
透明両面弱粘着シート（１）に、マス目盛プリントつき表紙（２）と、大中小の円形プリントつき裏表紙（３）を、カバーして構成した、貼ってはがしやすいことが特徴のビーズホビー用透明両面弱粘着シート。
【発明の詳細な説明】
【技術分野】
【０００１】  本発明は、ビーズの図案上に、適当な大きさに切った透明両面弱粘着シートを貼って、その上にビーズを図案どおりに粘りつけて、矢印の順序に編み進めれば完成できるようにして、複雑なビーズホビーを、誰でも、やさしく、簡単に出来るように工夫した、ビーズホビー用透明弱粘着性シートに関するものである。
【背景技術】
【０００２】  従来、ビーズホビーをするときは、ビーズ用の敷物、ウレタン、フェルト、ネルなどの上に、材料のビーズをバラバラと置き、作る物により、長さが約６０〜１５０ｃｍ位のテグスの先端を、左右の手に持ち、ビーズを「左に何個」、「右に何個」と通して、中央のビーズで交差させながら編み進めて、テグスの中央に送って締めている。
【発明の開示】
【発明が解決しようとする課題】
【０００３】  そのために、次のような問題点があった。
（イ）紙の図案上に、コロコロ動くビーズを並べて、色を選び、配色をすることなどが大変であった。
（ロ）ビーズをつまみ損ねて落したりすると、下にあるビーズに当たり、飛び散ったりテーブルから転がり落ちたりして、探すのが大変だった。
（ハ）細かい作業には、ビーズ針を使用すると能率があがるが、細い針穴にテグスの先端をペンチで平たく潰して通す作業が、さらに、大変だった。
（ニ）やっと針穴に通しても、ビーズの色や数を間違えたのに気がつくと、それが、最初の方であろうと、ほどかなくてはならないので、テグスを針から抜いて間違えた所までほどき、また、針穴にテグスを通さなくてはならないし、テグスも痛んでしまう。
（ホ）テグスは、巻きぐせがついているので、クルクル、ツンツンとして、うっかり手を放すと、いままで編んだ、たとえば、ネックレス１本分が、瞬時に、全部が抜け落ちてしまう。
（ヘ）ビーズ教室で、残り時間が少なくなると、先生の早口で「左手、Ａビーズ、右手、Ｂビーズ、Ｃビーズで交差して、…」と、言われるままに、先生について行くのが大変で、これでは、後日、家で１人で同じ物が作れるか、と心配だった。
本発明は、これらの問題点を解決するためになされたものである。
【課題を解決するための手段】
【０００４】  透明両面弱粘着シート（１）に、マス目盛プリントつき表紙（２）と、大中小の円形プリントつき裏表紙（３）を、カバーして構成した、貼ってはがしやすいことが特徴のビーズホビー用透明両面弱粘着シートである。
【発明の効果】
【０００５】（イ）粘着シートの上なら、ビーズを並べても、コロコロしないので、色を選び、配色するのが可能になり、作品全体のイメージがつかめる。
（ロ）ビーズをつまみそこねて落しても、粘着シートの上ならピタッ、と止まる。
（ハ）シート上に図案通りに貼ってあるので、色の順序や数を間違えないので、ほどすことも面倒な針にテグスを通す回数も減るし、テグスも痛まない。
（ニ）テグスの巻きぐせは、作業中も手を休めるときも、つねに、編んでいるテグスの元の方と先端を、粘着シートに貼っておけば編み目のゆるみも最小限で済む。
その都度締め直す手間が省けるし、クルクルしないので、次の作業を治めるときにいちいち編んでいる元の方からテグスを辿らなくても、先端がすぐに見つかる。
（ホ）本シートは、弱粘着にすることでビーズをはがしやすくなり、作業がスムースに進むし、ビーズのベタつきも防げる。
この他にも、コースターやトレーに、市販のテープを粘ってコップやワイングラスを乗せて、ゆすったり指でつついたりしたが、づれたり、倒れたりしなかったので、食器棚や飾り棚等にも、づれや転倒防止の効果が期待出来る。
ここでも、市販の強粘着テープでは、コップを持ち上げるとき、小指をついて引き放さないと、持ち上げにくい。
【発明を実施するための最良の形態】
【０００６】  以下、本発明の実施の形態について説明する。
本発明は、貼ってはがしやすい透明両面弱粘着シート（１）に、マス目盛プリントつき表紙（２）と、大中小の円形プリントつき裏表紙（３）と、１枚の弱粘着シートで構成している。
本発明は以上の構成よりなっている。
これを使用するときは、ビーズの図案紙（７）の上に、適当な大きさに切った弱粘着シート（１ａ）を貼り、ビーズ（８）の形や色を選んで定位置に貼る。
配色が済んだらビーズを移動させて、つねに編む方向を正面に見るように図案を廻わしながら編み進めると、いままで複雑で大変だったのが信じられないほど簡単に出来る。
【図面の簡単な説明】
【０００７】
【図１】  本発明の斜視図である。
【図２】  本発明の分解した斜視図である。
【図３】  本発明の側面図で、（ａ）は長辺の断面図、（ｂ）は短辺の断面図である。
【図４】  本発明の使用例を示した側面図である。
【符号の説明】
【０００８】    １    透明両面弱粘着シート
１ａ  弱粘着シート
２    マス目盛プリントつき表紙
３    円形プリントつき裏表紙
４    切り目
５    マス目プリント面
６    円形プリント面
７    図案紙
８    ビーズ
９    テグス
【図１】
2009083454.tif 000003
【図２】
2009083454.tif 000004
【図３】
2009083454.tif 000005
【図４】
2009083454.tif 000006